(57)【要約】      （修正有）【課題】先住民の織布方式を機械織り構造に取って代え，織布過程中にいつでも織布を置いて休むことができ、更に伝統技術の長所を残すスチール製床置型織機を提供する。【解決手段】スチール製床置型織機は、特に先住民の織布方式を機械織り構造に取って代わり、横長形底台２の台面に長形梁２１を設置し、長形梁の一側辺には予め設定した距離で、第一柱体３及び第二柱体４を設置する。第一柱体柱体には上から下向きに第一上横桿３１、第一中横桿３２及び第一下横桿３３を横設する。第二柱体には、同側に第二上横桿４１及び第二下横桿４２を設置する。長形梁の前端箇所には前横軸５を設置し、第一上横桿と第一下横桿の間及び第二上横桿と第二下横桿の間は、いずれも縱連接片６で連結し、各縱連接片は横連接片７で中間位置を連結する。長形梁の第一柱体末端旁には展開構造３４を設置し、長形梁の末端箇所には更に横長桿状の延長桿２３を設置する。【選択図】図２
0003220330.tif 000002
【実用新案登録請求の範囲】
【請求項１】
スチール製床置型織機において、
横長形底台の台面に長形梁を設置し、該長形梁の一側辺に予め設定した距離に第一柱体及び第二柱体を設置し、そのうち該第一柱体柱体は上から下向きに第一上横桿、第一中横桿及び第一下横桿を横設し、該第二柱体は同側に第二上横桿及び第二下横桿を設置し、該長形梁の前端箇所には前横軸を設置し，該第一上横桿と第一下横桿の間及び第二上横桿と第二下横桿の間は、いずれも縱連接片で連結し，各縱連接片は横連接片で中間位置を連結し、該長形梁の第一柱体末端側には展開構造を設置し、長形梁の末端箇所には更に横長桿状の延長桿を設置し，後端及び前端張力調節を備えることを特徴とするスチール製床置型織機。
【請求項２】
前記展開構造は、連結支点でハンドルと連接桿及び展開体を連結して構成することを特徴とする請求項１記載のスチール製床置型織機。
【請求項３】
前記後端の張力調節は、連結滑動槽片と定位ハンドル及び定位体から構成することを特徴とする請求項１記載のスチール製床置型織機。
【請求項４】
前記前端の張力調節は、定位片、並びに定位片に於いて形成する長形溝及び前横軸から構成することを特徴とする請求項１記載のスチール製床置型織機。
【考案の詳細な説明】
【技術分野】
【０００１】
本考案は、スチール製床置型織機に関するもので、特に先住民の織布方式を機械織り構造に取って代え，公知の織布方式の欠点を改善する他に、更に伝統技術の長所を残す。
【背景技術】
【０００２】
現代社会において、伝統的な先住民の織布技術は徐々に廃れ、反対に工場での工業生産の紡績布は、大量生産で価格も低廉で先住民族の手織り布を混合した布を買うことができる。先住民の伝統の織布技術は緩慢であるだけでなく、且つ相当に体力を消費するため、実のところ経済効果が認められない。そのため、先住民の若者が伝統技術を伝承したくても伝えることはできない恐れがある。幸いなことに、一代前の伝統織布技術は未だ一定の水準を保っており、伝統織布技術に拠って織り上げられた布は質感、模様、色合い等すべて現代工業化生産が織った製品と比較にならない出来である。故に、例えその産業能力、効率が現代生産技術と比較にならないとしても一定の地位がなくなることはない。上述から、伝統織布技術の操作過程に於いて、先ずは全工程を進めなければならず、即ち織布の長さ及び使用する糸の色を設定する。
【０００３】
公知の織布構造は、図１に示すとおり、糸全体フレーム１を含み、それは長形底台１１を備え、その台面の両端位置にはそれぞれ第一柱体１２及び第二柱体１３を設置し、また中央部位置には、第一差路桿１４１、第二差路桿１４２を有する差路状体１４を設置する。糸全体を操作する時、第一糸体１５、第二糸体１６及び第三糸体１７を使用するが、そのうち，該第一糸体１５及び第二糸体１６は、同一色とし、第三糸体１７は別色とする。該第三糸体１７は事前に該第二差路桿１４２に巻きつける。また第一糸体１５及び第二糸体１６は先ず該第二差路桿１４２桿体に巻き付けた後，次に同時に該第二柱体１３を経て平行に巻き付け、該差路状体１４側を通過した後、該第一柱体１２に巻き付けた後，該第一糸体１５は該差路状体１４の第一差路桿１４１及び第二差路桿１４２の間を通過し、第二糸体１６は第一差路桿１４１前方を通過する。該第三糸体１７の開放端の糸先端は第二糸体１６を結びつけ、また別一端は第一糸体１５を巻きつける。その後、該第一糸体１５、第二糸体１６は再び第二柱体１３に巻き付け、上述の巻き付け動作を繰り返し、糸全体理の行程を完成する。最後に糸整理後の糸材を該糸全体フレームから取り出し、並びに設定部位に基づいて予め設置した支持桿を持ち上げ、織布時に操作者は縄でフレームを糸体の支持桿をフレーム体に巻き付け、両足で、巨形の軸体を平らに伸ばして押圧する。同時に体で腰を真っ直ぐにして糸体を引く。続けて梭を持って往復し布を編む。同時に梭が往復するごとに圧板を手に持ち糸体の間を通して体で押さえ、横繊維をきつく押さえる。
【０００４】
以上の説明から分かるとおり、伝統の織布方式は操作者が体で糸体を押さえ、織り布行程を行う。
【先行技術文献】
【特許文献】
【０００５】
【特許文献１】特開2007-92267号公報
【考案の概要】
【考案が解決しようとする課題】
【０００６】
解決しようとする問題点は、織布者が織布過程中に於いていつでも織り布を置いて休んだり、その他の事をすることができない。他に、体を使って織布する工具は織布者にとって相当に疲れ、織布の効率に影響を与えるため、非常に理想的でない。仮に先住民伝統の織布構造を変えないという大原則の元、スチール製床置型織機を開発することができれば、織布者の体は織布行程から解放され、隨時織布糸を置いて休んだり、離席でき、且つ，糸体もしくは織布完成の部分が崩れないため、本考案は確実に進歩性と実用性を備える。
【課題を解決するための手段】
【０００７】
本考案は、特に先住民の織布方式を機械織り構造に取って代わり，横長形底台の台面に長形梁を設置し、該長形梁の一側辺には予め設定した距離で、第一柱体及び第二柱体を設置する。そのうち該第一柱体柱体は上から下向きに第一上横桿、第一中横桿及び第一下横桿を横設する。該第二柱体は、同側に第二上横桿及び第二下横桿を設置する。該長形梁の前端箇所には前横軸を設置し，該第一上横桿と第一下横桿の間及び第二上横桿と第二下横桿の間は、いずれも縱連接片で連結し，各縱連接片は横連接片で中間位置を連結する。該長形梁の第一柱体末端旁には展開構造を設置し、長形梁の末端箇所には更に横長桿状の延長桿を設置することを最も主要な特徴とする。
【考案の効果】
【０００８】
本考案のスチール製床置型織機は、先住民の織布方式を機械織り構造に取って代え，公知の織布方式の欠点を改善する他に、更に伝統技術の長所を残すという利点がある。
【図面の簡単な説明】
【０００９】
【図１】伝統織布時に使用する糸全体構造及びその織り方式の指示図である。
【図２】本考案の構造外観図である。
【図３】本考案が糸整理を行う時、糸を織布機上に定位する位置の指示図である。
【図４】本考案の構造の側視指示図である。
【図５】本考案の展開構造作動指示図一である。
【図６】本考案の延長型構造の側視図である。
【図７】本考案の延長型構造が糸を織布機に定位する位置の指示図である。
【考案を実施するための形態】
【００１０】
本考案者は、先住民の織布技術稼働について長年に亘る豊富な経験を備え、深く分析研究し、長年の努力の末、「スチール製床置型織機」を考案した。更に実際の検証により、それは確かに既定の目的を達成し、作業者が重労働で疲労がたまる織布方式を機械織り構造に取って代えられることがわかった。公知の織布方式の欠点を改善する他に、更に伝統技術の長所を残す良好な創作である。拠って、先住民の織布方式機械織り構造に取って代わり，公知の織布方式の欠点を改善する他に伝統的な織布文化の優位を保つことを本考案の主な目的とする。
【実施例１】
【００１１】
本案の特徴と進歩性をはっきりさせるため、本考案者は以下に図式と共に説明する。
【００１２】
本考案の構造の特徴及びその特性を説明するため、考案者は各図式を以てスチール製床置型織機の構造の特徴（図２の構造外観図を参照）を詳細に説明する。スチール製床置型織機は、「ステンレス（トタン）」を原材する。構造上、横長形底台２を備え、その台面には長形梁２１を設置し、長形梁２１一側辺には予定距離で第一柱体３及び第二柱体４を立設する。そのうち該第一柱体３柱体には上から下向きに第一上横桿３１、第一中横桿３２及び第一下横桿３３を横設する。該第二柱体４は同側に第二上横桿４１及び第二下横桿４２を設置する。また該長形梁２１前端箇所には前横軸５を設置し、その固定方式は長形梁２１前端側に長形溝２２１を有する定位片２２を設置し，該前横軸５のその一端を該長形溝２２１に挿入した後ナットで止める。また該第一上横桿３１と第一下横桿３３の間及び第二上横桿４１と第二下横桿４２の間は、どちらも縱連接片６で連結し、各縱連接片６は横連接片７で中間位置を連結する。他に該長形梁２１の第一柱体３末端側には展開構造３４を設置し，それは連結支点としてハンドル３４１及び連接桿３４２を連結し、該第一柱体３及びその柱体から伸びた複数の横桿の別端に設置した縱連接片６の間には横桿状の展開体３４３を連接し、その一端は該連接桿３４２と連結し、該第二柱体４の柱体の最上端外例に定位構造４３を設置する。それは柱体の低位箇所に連結滑動槽片４３１を設置し、柱体の高位箇所でその柱体から伸びた両横桿の別端の縱連接片６の間には横桿状の定位体４３２を連接し、且つその一端は該連結滑動槽片４３１の滑動槽外側を通して定位ハンドル４３３と連結する。他に長形梁２１末端箇所には，横長桿状の延長桿２３を設置する。図３及び図４に示すとおり、使用時、先ず糸整理行程に進む。先に各縱連接片６、横連接片７と展開体３４３及び定位体４３２等をすべて外す。次に糸を前横軸５に巻きつけて二段分を引き出す。それが第一中横桿３２を通過した時，使用者によって予め環状にしてあった糸体を該第一中横桿３２にトリップ連結する。次に該第一上横桿３１を通過した後、更に第二上横桿４１を通過する。糸の別段は第一上横桿３１を直接通過した後，次に第二上横桿４１を通過し、続いて二本の糸段が合わさって第二下横桿４２で折れた後，第一下横桿３３で回転して通過した後，続いて長形梁２１末端の延長桿２３まで回転して通過し、最後に再び前横軸５で回転通過する。上述の行程を繰り返すことで、糸整理の行程が完成する。続いて、織布を行う時、操作者は梭を入れて通した後、織布を行う。同時に通し動作を行う際、該展開構造３４のハンドル３４１を引き、その連接支点で該連接桿３４２を動かし、該展開体３４３を上向きに回転する。糸は三角形に近似した空間に張り、その時、織布者は定位片８で該空間を通って自身の体の方向へ引き動かし、織り上げた糸を引っ張る（図５参照）。その他、該前横軸５の位置を調整でき、及び該定位ハンドル４３３を引き、該定位体４３２位置を変更し、織布時に発生する緩み現象を引っ張り、それに拠って織布者はいつでも織布の作業を止めたり、他の仕事をすることができ、体を織布から解放し、公知構造の欠点を改善する。
【００１３】
上述のとおり、本考案スチール製床置型織機的構造の特徴として、以下に示す。先ずは支点引き桿であり、それは当該特許の核心であり、その位置は第一柱体３前端の位置に設置し、該展開構造３４は、一個の連結支点でハンドル３４１、連接桿３４２及び展開体３４３から構成する構造を連結する。その目的は、支点の力を運用し展開体３４３を上に持ち上げ、更に糸材の横糸を軽々と上下に交差させ、伝統織布器のように体及び手の力で横糸を引っ張る必要がない。
【００１４】
次の特徴として、後端張力調節であり、後端張力調節の位置は、第二柱体４の後方に設置する。連結滑動槽片４３１、定位ハンドル４３３及び横桿状定位体４３２から構成する。その目的として、布地を平らにするには、各段階で糸材を固定して平らにしなければならず、縦糸と横糸が交差した後で発生する布地は徐々に縮む。拠って、後端の張力調節によって随時、糸材の引き具合を調整する必要があり、さもないと支点引き桿は異常を発生し、外織布器本体は損傷する。
【００１５】
次の特徴として、前端張力調節であり、前端張力調節の位置は、長形梁２１前端側位に設置する。定位片２２並びに定位片には長形溝２２１で切り、及び前横軸５から構成する。その目的として、仮に織布者が織った布地の長さが長すぎた場合、後端張力調節内の連結滑動槽片４３１は下向きで末端に向かって縮み、前端張力調節はその調糸整理材の引き具合をサポートする。
【実施例２】
【００１６】
その他、本考案は、必要に応じて制作したいサイズで随時柱体を増やしたり減らしたりできる。図６、７に示すのは本考案の別の実施例である。本考案は、前後の延長型構造であり、それは第一柱体３及び該第二柱体４の後に第三柱体９０及び第四柱体９１を増設する。このようにして、延長した糸全体の長さは、長い布地を織り上げ、本考案は織布者の求めに応じる。
【００１７】
上述のとおり、本考案は人体工学モジュールを導入し、伝統織布がもたらす身体障害を大幅に減らし、更に先住民伝統の基織布技術を保ち、更にステンレス（トタン）の原材上に於いて機器本体を更に安定及び安全をもたらす。正常の使用情況において、腐食と虫食いの問題を発生を防ぎ、一般の木製の床置型織布器のような状況を防止する。考案者は「スチール製床置型織機」は最良の構造であると考える。本考案者は創作の権益を保護するため、実用新案登録を申請する。
【００１８】
上述のとおり、利用本考案の使用者は現有の先住民の織布方式の弊害を改善し、先住民の織布方式の特性を維持するため、構造の創作は非常に優れ、実用新案登録申請の要件に符合する。
【符号の説明】
【００１９】
１        糸全体フレーム
１１        長形底台
１２        第一柱体
１３        第二柱体
１４        差路状体
１４１        第一差路桿
１４２        第二差路桿
１５        第一糸体
１６        第二糸体
１７        第三糸体
２        横長形底台
２１        長形梁
２２        定位片
２２１        長形溝
２３        廷伸桿
３        第一柱体
３１        第一上横桿
３２        第一中横桿
３３        第一下横桿
３４        展開構造
３４１        ハンドル
３４２        連接桿
３４３        展開体
４        第二柱体
４１        第二上横桿
４２        第二下横桿
４３        定位構造
４３１        連結滑動槽片
４３２        定位体
４３３        定位ハンドル
５        前横軸
６        縱連接片
７        横連接片
８        定位片
９０        第三柱体
９１        第四柱体
【図１】
0003220330.tif 000003
【図２】
0003220330.tif 000004
【図３】
0003220330.tif 000005
【図４】
0003220330.tif 000006
【図５】
0003220330.tif 000007
【図６】
0003220330.tif 000008
【図７】
0003220330.tif 000009